(57)【要約】毛髪の中を通して引っ張ると、髪房の末端の所定部分だけが切断され、隣接する毛髪は切断されない状態で残される手持式ヘアトリミング装置（１０）である。その蛇行チャネルを通して毛髪を引っ張る度に本装置が毛幹末端の所定長さだけを切断することになる。末端がカッターブレード（７２）と角度を作って接触することはリッジと開口部（５３）によって防止され、実質的な平角接触のみが実施される。本装置はどちらかの手に持ってサムスイッチを動かすことによってモータの回転方向を変えることにより、どちらの方向においても髪を通すことを可能にする。本装置のブレードセクションは、毛幹から切り取られるべき所定長さの量を変えるように調整可能であるか、或いは、取り外して、種々構成の異なる複数のブレード部の中の１つと交換することによって、トリミングされる量を調整することが可能である。
2004526534.tif 000002
【特許請求の範囲】
【請求項１】
毛髪の末端を引き入れて調髪するヘアトリミング装置であって、
端部に取付けられたハンドルとヘッド接合端部とを備えた本体部と；
電力供給源と接続する前記本体部に取付けられたモータと；
前記本体部の前記ヘッド接合端部における取付け可能なカッタヘッド部と；
前記ヘッド部が保持部空間が形成される面を有し、
前記カッタヘッド部の内部空間と連通している前記保持部空間内に位置する凹部と；
第１の端部に回転可能に取付けられ、かつ前記保持部空間と協働して係合可能な延長毛髪保持部と；
前記延長毛髪保持部は前記保持部空間において協働して係合可能な作動位置、および前記保持部空間から解放される持ち上げ位置を備え、
前記延長毛髪保持部を前記持ち上げ位置から前記作動位置まで動かすために前記第１の端部において前記延長毛髪保持部と動作可能に係合する作動レバーと；
前記内部空間内に作動可能に取付けられたカッターブレード部とを備え、前記カッターブレード部が切断フレームに取付けられたカッターブレードを備え、前記カッターブレード部は前記内部空間内に取付けられると前記モータと動作可能に係合し、
前記延長毛髪保持部は、前記凹部と協働係合すると、前記カッタヘッド部を通って髪房を案内するための蛇行通路を形成し、
前記凹部が、前記蛇行通路を通って引かれた前記髪房の前記末端が前記凹部を通って前記内部空間と瞬間的に連通することを可能にし、
前記凹部を通って連通する前記髪房の前記末端以外の部分を切り取るために前記カッターブレードが前記内部空間内に配置される
ことを特徴とする装置。
【請求項２】
前記内部空間内に取外し可能に取付けられている前記カッターブレード部をさらに備える請求項１記載のヘアトリミング装置。
【請求項３】
前記内部空間内にそれぞれの取外し可能に取付けできる複数のカッターブレード部をさらに備え、
前記複数のカッターブレード部の各々が前記髪房の末端の所定の長さを切断するように構成され、このため、前記複数のカッターブレード部から別のカッターブレード部に変更することにより前記ユーザが前記髪房から除去される前記末端の長さを調節可能であるものとする請求項２記載のヘアトリミング装置。
【請求項４】
延長面板をさらに備え、
前記面板が前記保持部空間と協働係合して取付けられるように構成された係合側部を備え、
前記面板が毛髪保持部側部を備え、前記作動位置において、前記毛髪保持部側部が前記延長毛髪保持部と協働して係合可能であり、
前記面板が前記保持部空間と協働して係合状態において取付けられ、それによって、前記蛇行通路を移動する前記髪房にかかる張力の変化が起きるように前記保持部空間の寸法を所定量変更する請求項１記載のヘアトリミング装置。
【請求項５】
複数の前記面板を有するプレートキットをさらに備え、
前記複数の前記面板の各々が前記保持部空間の前記寸法を前記規定量と異なる量変化させるように寸法取りされる請求項４記載のヘアトリミング装置。
【請求項６】
前記キット内に複数のカッタヘッド部を有するカッタヘッド部のキットをさらに備え、
前記キットに含まれる前記複数のカッタヘッド部の各々が前記本体部に取外し可能に取付けられ、
前記複数のカッタヘッド部の各々が毛髪の前記部分を異なる長さに切断するようにある点で前記内部空間内に取付けられている前記カッターブレードを備えている請求項１記載のヘアトリミング装置。
【請求項７】
末端を引き入れて調髪するヘアトリミング装置であって、
正面および後面を有するハンドルと；
前記ハンドルの上側端部に取付けられた第１の側面畝状部と；前記第１の側面畝状部は第１の正面および第１の後面を有し、
前記第１の側面畝状部に平行であって、前記ハンドルの前記上側端部に取付けられている第２の側面畝状部と；前記第２の側面畝状部が第２の正面および第２の後面を有し、
前記第１の側面畝状部と前記第２の側面畝状部との間に形成された保持部空間と；
前記保持部空間内の延長凹部と；
前記凹部が前記凹部のベースから前記第１の後面と前記第２の後面との間の切断エリアまで連通し、
前記ハンドルの前記上側端部へ第１の端部において回転可能に取付けられた延長毛髪保持部と；前記延長毛髪保持部は前記保持部空間と協働して係合可能なものであって、
前記延長毛髪保持部は前記保持部空間内において協働係合された作動位置および前記保持部空間から解放される持ち上げ位置を有し、
前記持ち上げ位置から前記作動位置へ前記延長毛髪保持部を動かすために前記延長毛髪保持部と動作可能に係合する作動レバーと；
前記凹部と協働係合している場合に前記延長毛髪保持部が前記延長凹部を通り、かつ前記保持部のまわりにおいて髪房を案内するための蛇行通路を形成し、
前記凹部が前記蛇行通路を通して引き出された前記髪房の前記末端を前記凹部を通して前記切断エリアと瞬間的に連通することを可能にし、
前記カッター部の内部空間内に動作可能に取付けられたカッターブレードを備えたカッター部と；
前記カッターブレードと作動可能に係合されたモータと；前記モータが前記カッター部に取付けられ、
前記内部空間内の前記カッターブレードとを連通させる前記カッター部の正面にある切断凹部と；
前記延長凹部と定位置に位置決めされた前記切断凹部を備えた前記第１の後面および前記第２の後面に対して前記カッター部の前記正面を前記定位置において係合させる手段と；
前記ハンドルから前記モータへ電力を伝達する手段とを備え、これによって、前記蛇行通路を通して引き出された髪房を前記延長凹部を経て、前記切断凹部内へ瞬間的に連通させ、前記カッターブレードが前記髪房の末端から所定の部分を除去する
ことを特徴とする装置。
【請求項８】
前記ヘアトリミング装置は、さらに、
前記キット内に複数のカッター部を有するカッター部のキットを備え、
前記キットに含まれる前記複数のカッター部の各々が前記後面に取外し可能に取付けられ、且つ
前記複数のカッター部の各々は、前記髪房の前記末端の異なる長さの所定部分を切断するように、所定位置に取付けられている前記カッターブレードを備えている請求項７記載のヘアトリミング装置。
【請求項９】
前記ヘアトリミング装置は、さらに、
ヘアドライヤ構成要素をさらに備え、前記ヘアドライヤ構成要素が前記後面に作動可能に取付けられている請求項７記載のヘアトリミング装置。
【請求項１０】
前記ヘアトリミング装置は、さらに、
前記ヘアドライヤがカッターブレード部の前記キットの部材である請求項８記載のヘアトリミング装置。
【請求項１１】
前記ヘアトリミング装置は、さらに、
スイッチを備え、前記モータを逆転させるためにユーザによって前記スイッチは作動され、前記髪房の前記末端以外の部分を切断するように前記ブレードを正しい方向に回転させ、片方の手を用いて毛髪の中を通って前記ヘアトリミング装置を通過させることを可能にする請求項１記載のヘアトリミング装置。
【請求項１２】
前記ヘアトリミング装置は、さらに、
前記カッターブレードに対して毛髪の前記末端位置合わせする手段を備えている請求項１記載のヘアトリミング装置。
【請求項１３】
前記末端を前記カッターブレードと毛髪位置合わせする前記手段が、
前記凹部内に設置された格子を備え、前記格子を介して連通する複数の格子開口部を備え、
前記末端が前記格子開口部を通って前記カッターブレードと連通する請求項１２記載のヘアトリミング装置。
【請求項１４】
前記ヘアトリミング装置は、さらに、
前記毛髪保持部上に位置する複数の針状突起を備え、前記針状突起同士の間には間隙を備え、
前記毛髪保持部が前記作動位置において前記間隙が前記格子開口部と実質的に直線配置され、前記延長凹部を通過し、かつ前記延長毛髪保持部のまわりに髪房を案内するために複数の個別蛇行通路を形成する請求項１３記載のヘアトリミング装置。
【請求項１５】
前記ヘアトリミング装置は、さらに、
スイッチを備え、前記モータを逆転させるためにユーザによって前記スイッチは作動され、前記髪房の前記末端以外の部分を切断するように前記ブレードを正しい方向に回転させ、片方の手を用いて毛髪の中を通って前記ヘアトリミング装置を通過させることを可能にする請求項１２記載のヘアトリミング装置。
【請求項１６】
前記ヘアトリミング装置は、さらに、
前記カッターブレードに対して毛髪の前記末端位置合わせする手段を有する請求項７記載のヘアトリミング装置。
【請求項１７】
前記末端を前記カッターブレードと毛髪位置合わせする前記手段が、
前記凹部内に設置された格子を備え、前記格子を介して連通する複数の格子開口部を備え、
前記末端が前記格子開口部を通って前記カッターブレードと連通する請求項１６記載のヘアトリミング装置。
【請求項１８】
前記ヘアトリミング装置は、さらに、
前記毛髪保持部上に位置する複数の針状突起を備え、前記針状突起同士の間には間隙を備え、
前記毛髪保持部が前記作動位置において前記間隙が前記格子開口部と実質的に直線配置され、前記延長凹部を通過し、かつ前記延長毛髪保持部のまわりに髪房を案内するために複数の個別蛇行通路を形成する請求項１７記載のヘアトリミング装置。
【請求項１９】
前記ヘアトリミング装置は、さらに、
スイッチを備え、前記モータを逆転させるためにユーザによって前記スイッチは作動され、前記髪房の前記末端以外の部分を切断するように前記ブレードを正しい方向に回転させ、片方の手を用いて毛髪の中を通って前記ヘアトリミング装置を通過させることを可能にする請求項７記載のヘアトリミング装置。
【発明の詳細な説明】
【技術分野】
【０００１】
本発明は、改良されたヘアトリミング装置（調髪装置）に関するものであり、特に、頻繁な髪すき及び洗髪に起因する毛髪の枝毛を除去するために個別毛幹の末端から実質的に等しい所定量を調髪するための装置に関するものである。従って、隣接する更に延長毛幹には一切手を加えずに、毛幹の所定長さが調髪されるものとする。また、本装置は、調髪の長さをユーザが調整し、或いは、随意に毛髪を乾燥させるための取外し可能なブレード機構を備えることを特徴とする。
【背景技術】
【０００２】
髪型の変更、および、人の頭髪が伸び、散髪を必要とする故に、ヘアスタイリストや理髪師への訪問は、米国および世界中で共通な出来事である。ヘアスタイリストや理髪師は、例えば、鋏や電気クリッパのような電動化され手で保持して使用する装置を用いて、顧客の意向に従って毛髪を切断する技術の訓練をうけている。時折、人は新しい髪型を希望するが、その髪型のままで満足している場合が多く、毛幹の末端から所定量の毛髪を切ることだけを希望するに過ぎない。ただし、人の頭髪が、整髪を希望する当人の必要性に適した技術のあるスタイリストによって調髪されるのか、アマチュアによって調髪されるかは、いらいらさせられる問題であり、良いヘアスタイルに見えるには、頭髪の枝毛を除去しなければならない。頭髪の枝毛は毛髪のブラッシングに起因し、その人を不健康に見せるし、決してファッショナブルではない。
【０００３】
高度な技術のあるスタイリスト、或いは、アマチュアいずれの場合にも、枝毛を調髪する現在の方法は長時間の手入れを必要とする。毛髪は、手または櫛または両者の組み合わせを用いて、比較的丁寧に伸ばさなければならず、頭皮上の毛包から離れた個々の毛髪の末端のみを調髪することが必要である。不手際な調髪は乱雑な調髪跡や、不均一なカットや、その他望ましくない結果を散髪される人の頭髪に残すことになる。
【０００４】
枝毛は、男性女性を問わず、特に肩まで届く長髪スタイルの場合にはわずらわしい問題である。髪房が耳から肩まで、或は、更に延長場合には、毛髪の長さが一様でないので、隣接した髪房を間違って切断しないように注意しながら毛髪の末端のみ、即ち、極めて少量かつ比較的均等な量だけ調髪するには特に長時間を必要とする。この手入れ方法は、カットのスタイルが或る長さに亙って先細になり、この先細スタイルを維持するために極く短い末端だけをカットする必要のある場合には一層困難なものとなる。長髪の枝毛のみを調髪しようとすると、プロのヘアスタイリストであっても数時間を必要とする。長髪の枝毛を当人自身で調髪することは、当人の後頭部毛髪の枝毛の末端をカットする際に鏡と鋏を使用するので危険さえ伴い、実際には不可能である。手元が僅かに狂っただけで、短い毛幹の枝毛末端をカットしようとして隣接する延長髪房を切断すると、ヘアスタイル全体が損なわれてしまう。アマチュア及びプロヘアスタイリスト用の整髪装置は何年にも亙って開発されてきた。この種の装置には、プロによる整髪に見えるようにアマチュアがカット可能にしたもの、又は、プロのスタイリストに別の用具を提供することによってプロの能力を強化しようとしたものがある。
【０００５】
これら装置の多くは散髪及び髪型調整の問題を対象としており、末端の枝毛部の問題や、不健康な末端の極く短い部分のみを除去する問題は殆ど扱われていない。更に、非常に延長毛髪では末端が割れていないとしても、全ての毛髪が同じ割合で伸びるとは限らず、多くの場合、老化した毛幹の見た目のよくない末端は、頭髪を美しく見せるための美容的補助手段として、除去されることが多い。ヘアスタイルを台無しにすることなく、または、スタイルを大きく変えることなしに、見た目のよくないこの種毛幹末端を除去するには、健全で正常に見える毛幹に隣接する延長毛髪に支障をきたすことなしに毛幹末端のみを部分的に切断することが必要である。この種の仕事は、個人の頭部に生えた多数の毛髪を扱う極めて困難な仕事ではないとしても、非常に退屈な仕事であることは間違いない。
【０００６】
米国特許第５，５１９，９３９号：スミス（Ｓｍｉｔｈ）は、回転式ブラシと櫛とかみそりの刃を組み合わせて広い幅に亙って毛髪を刈ることを教示している。ただし、Ｓｍｉｔｈは、装置のユーザによる多くの調整を要し、回転式ブラシの円周によって決定される長さの毛髪を切断することを意図している。この装置は、その構造上の問題から、割れて不健康または見た目のよくない毛髪末端を調髪し等量のごく短い末端のみを切断するように構成することができない。更に、ブラシを回転させるために、手に持った装置を毛髪の中で引っ張るので、ユーザは、毛髪がブラシに巻き付いて絡まり、或は、毛髪の中を通って装置が横方向に引っ張られ、隣接毛髪を幅広く刈り取る危険に常にさらされている。かみそりそりの刃は剪断動作によって髪を切除するのでなく、毛髪を引っ張る動作によることが多く、髪を引っ張られる不快感は避けられない。
【０００７】
米国特許第５，０２６，０８８号：クイーン（Ｑｕｅｅｎ）は、毛髪を調髪する際の案内手段について教示し、それによって、ユーザは、首からこめかみにかけて毛髪の切断部を先細、或いは、フェザーにすることができる。ただし、この装置は、一方の手によってガイド部材を保持し、もう一方の手に電気クリッパを保持することを必要とするので、個人が自身の毛髪を切断する際にはこの装置を使用できない。本装置を使用して毛髪を切断する際には、スタイリストまたは本人以外の人による注意を怠る事なく、これらの人がスキルを発揮することが要求される。特許は、枝毛末端の除去を意図するものでなく、ヘアカットの先細化および羽状化を対象としているので、クイーンの特許を用いておいてユーザ自身の後頭部の毛髪を切断することは実際には不可能であるだろう。更に、隣接する延長髪房にこの装置を接触させることなしに、人の髪房の末端から実質的に等しい部分だけを切除することは事実上不可能だと考えられる。
【０００８】
米国特許第５，２１３，１１６号：シュタイン（Ｓｔｅｉｎ）は、櫛様案内部材上の回転可能なブレードを用いたヘアトリミング装置について教示している。ただし、この装置は、枝毛でなくて、毛髪の切り下げ部分を切断するように設計されたものであり、教示されるように、装置を使用するには両手を必要とし、装置を案内するために別の人の援助なしには、後頭部において装置を使用することが出来ないようである。さらに、毛髪の末端から実質的に等量を調髪することは、著しく時間のかかることであり、達成可能であるとしても、大変な器用さが必要であると考えられる。
【０００９】
米国特許第５，８８４，４０２号：タラヴェラ（Ｔａｌａｖｅｒａ）は、技術のあるヘアスタイリスト又はアマチュアによって使用可能な、髪房の末端のみを切断する困難な作業を達成する独創的な装置について教示している。また、このヘアトリミング装置は、幾らかの制限条件はあるとしても、一人で使用可能である。モータ駆動されるカッターブレードは一方向にのみ回転するものとし、装置は右手のみで使用されなければならず、毛髪が入るのは一方の側に限られる。また、装置の外面上に備えられた制限付き毛髪の案内手段は機能的であり、毛髪は、装置を通過する際にローラ全体に亙って常に直線通路に従うことを必ずしも必要とせず、カッターブレードで髪房末端を効果的に切断するためには更に良好な剪断動作が必要である。
【００１０】
従って、ヘアスタイリングの現場で使用される装置は絶えず改良されることを必要とし、特に、枝毛の切断および毛髪の末端から所定の長さをトリミングすることを対象とすることが求められている。
【発明の開示】
【発明が解決しようとする課題】
【００１１】
本出願人による装置は、枝毛か又は見た目のよくない毛幹か、或いは、不健康な毛髪末端を形成する毛幹から実質的に等しい短い断片を調髪するために用いられるユーザ設定可能なヘアトリマを提供する構成要素交換可能ヘアメンテナンス用具である。調髪された毛髪の長さを変えるため、毛髪を乾かすため、又は必要に応じて毛髪の或る部分を切断する目的で刈り鋏の使用を可能にするために、様々な構成要素が装置に付加または交換できる。枝毛の切断作業は、該当する毛髪の末端のみを除去することによって実施されるものとし、この場合、本装置がこれらの髪房の末端に到達する時までは、隣接する延長方の毛髪の毛幹は切断しない状態のままに残される。
【００１２】
本装置の動作に取り入れられている幾つかの改良点は、当該動作を強化または改良するために役立つものである。これらの改良点には、調髪する毛髪の長さを変えるために取外し又は代置することのできるハンドトリミング、又は、真っすぐにしながら同時に毛髪を乾かすことのできる交換可能な構成要素の使用が含まれる。キット形式の使用として販売または供給される場合に様々な構成要素によって提供される改良点は、望ましい結果を得るためにユーザによって置き換えることが可能である。装置を通過する毛髪の新規な蛇行運動と共に用いられると、これらの改良点は全て装置の能力を強化し、この蛇行運動によって、蝶番の付いた保持部の中央構造体を全体に亙って通過する際に、毛幹の末端をカッターブレード内に弾き込む。この場合、延長方の毛幹は、その末端に到達するまで、保持部の中央区分体に押し付けられたままの状態に保たれる。
【００１３】
改良されたユニットにおいては、蝶番の付いた保持部を作動位置に持ち上げるためにオペレータが保持部作動レバーをハンドルに対して押し付けると、毛幹は角度のついた圧力ユニットに押し付けられる。角度付き圧力ユニットにおける角度は、カッター部のブレード内に末端が弾き込まれる髪房がどの程度の長さで保持されるかを決定する。幾つかの異なる角度が圧力ユニット上で利用可能であり、毛髪を種々異なる長さで切断可能である。角度付き圧力ユニットは、保持部空間の側部に形成される２つのありつぎによって、カッタヘッドの内外に摺動する。角度調整ユニットにおける適合する２つのありつぎ溝は、種々異なる角度の付いた幾つかのユニットを本装置に用いることを可能にする。この新規性の組込みにより、毛髪が装置の蛇行チャネルを通過する際に、切断長さ調整機構によって毛幹から除去される正確な毛髪量をユーザが決定することができる。
【００１４】
特徴的な毛髪カッター部構成要素および駆動システムが作られ、このため回転方向スイッチがオン／オフおよび回転方向の両方を決定し、モータがカッターブレードを駆動することになる。これを実施する際に、毛髪が蛇行する髪房保持部を左から右に又は右から左に通過する状態において、ヘアトリマはどちらの手に保持されても差し支えない。カッタヘッド内に保持される取外し可能なカッター部は、ナイロンブッシングのどちらかの端部において所定位置に保持されるブレードフレーム内で回転するカッターブレードに取付けられている内部ギヤ駆動ホイールを備えている。カッタ本体部内の駆動モータは、カッター部の内部ギヤホイールと係合するために伸延する固定したギヤを有するギヤシステムを備えている。フレームの各側部に取付けられた２つの剪断板は、ブレードがどちらの方向にでも回転可能であり、効果的に切断することを可能にする。カッターブレードの剪断エッジとかみ合うように剪断エッジが下方に向いた状態において、剪断板は、ブレードフレーム上の正確な位置に剪断板を保持するために、１つの保持エッジ及び２つの保持タブを備えている。ブレードフレームへの剪断板の取付けは、剪断板を柔軟作動する柔軟リングを通って移動し、カッターブレードエッジ表面に対して均一圧力を維持する３個のセルフタッピングねじによって達成される。
【００１５】
カッタヘッドの保持部空間内に回り込む蝶番付き毛髪保持部は一般的な側部構成をもつブラシヘッドを備えている。各側部は、最も外側の縁、及び、カッタヘッドに取付けられた脱着自在な針状突起ユニットを構成する複数の針状突起内に毛髪が保持されることを確実にする平坦表面上に位置する一連のリッジに沿って複数の針状突起を組み込む。針状突起のプラスチック材料の組成において種々異なる程度の融通性を持たせた使用個数と長さの異なる針状突起を備えた脱着自在な針状突起ユニットはセットとして使用可能であるものとする。
【００１６】
毛髪がカッターブレード内に弾き込まれるように回転する毛髪保持部の中央構造体は、滑らかな曲面、及び、蛇行毛髪チャネルを通る毛幹の直線流れを維持する複数の歯を備えている。また、脱着自在な針状突起ユニットの支援なしにヘアトリミングが可能であり、この場合には、毛髪保持部上の針状突起と歯のみによって案内された状態で毛髪がカッタヘッドの表面全体に亙って直接通過することが可能である。
【００１７】
カッタヘッド部は単一取付け可能なユニットとして、又は、複数のヘッド部を備えたキット形式において提供されることが可能であり、この場合、各ヘッド部は、軸方向における僅かな加圧によって取外し可能であるように、カッタ本体部を所定位置に確実に保持するカッタ本体部のかみ合い端部まわりの連続凹部内において係合する複数の小さいリッジを備えている。カッタヘッドは、それらの間に保持部空間を備えた２つの側面畝状部から成る。各々の側面畝状部は、畝状部の間に位置する保持部空間に脱着自在な針状突起ユニットを取付けるための４個の小孔、及び、内部閉鎖領域から切断した毛髪の端部を清掃するために取外し可能な透明な排出扉を持つ単一の頂部畝状部を備えている。係止ピンは、カッタヘッドにおける小孔および透明な排出扉の末端における適合小孔を通り、かみ合い端部に隣接するカッター部上においてカッタ本体部から外側に移動する。ピンを押すように適切に設置されていなければブレードが動作しないので、カッターブレード部が装置を安全収容するための手段を提供するモータに接続されている場合には、係止ピンによってドアは確実に閉じられている。主要安全保護装置は保持部空間における格子であり、毛髪は０．３７５インチの空間を持つカッターブレードに係合するように弾け、カッターブレード内には、指を入れるに充分な空間があってはならないものとする。
【００１８】
カッタ本体部は、カッタヘッド用電気駆動モータを収容する。また、カッタ本体部は、毛髪保持部用ピボット機構および保持部作動レバーも保持する。回転方向スイッチは、指が保持部作動レバーを操作する状態にあるときに親指によって作動可能であるように、都合のよい位置に配置されている。装置が、家庭内電力接続コードを用いて、又は、図に示すように２個の電力接点を用いるか、或いは、バッテリを用いて、又は、再充電可能な密封型電力ハンドルを用いて使用される場合のために、ハンドル係合空間において、ハンドル内の接合小孔を伴った２個の電力プロング及び１個の接地プロングが備えられている。
【００１９】
本装置の別の一実施形態は、カッタ本体部が、ハンドル付属装置に対向する本体部から他の本体部まで伸延する２つの並列側面畝状部を備えていることを特徴とする。この実施形態は、凹部に対向する一方の側面畝状部の後側に取付けピンを備えていることを特徴とする。これらのピンは、取付け可能なブレード部用、毛髪乾燥構成要素用、または、この種の構成要素が除去された場合のためのマウントを備え、必要に応じて末端が手作業による鋏の調髪が可能なように凹部を通過して連通する毛髪にアクセス可能であることを特徴とする。
【００２０】
本発明の目的は、髪房の末端から更に精密な長さの毛髪を切断することのできるヘアトリマを作成することにある。
【００２１】
本発明の他の目的は、人のどちらの手によっても操作可能であり、かつスイッチを備えた電動機の回転方向を調節する手段によって蛇行チャネルを経て毛髪をどちらの方向にでも引っ張ることのできる装置を作成することにある。
【００２２】
本発明の更に別の目的は、毛髪保持部上の針状突起、脱着自在な針状突起ユニット上の針状突起、及び、保持部中央構造体上面の歯によって作成可能な蛇行チャネルを通過する毛髪を連続的に制御する手段を備えた装置を作成することにある。
【００２３】
更に、本発明の他の目的は、毛幹の調髪された末端の精密な長さを保証する種々異なる長さ調整機構を備えた切断を供給することにある。
【００２４】
本発明のさらに別の目的は、２つの剪断表面上の柔軟抵抗手段を用いて、どちらの回転方向においても充分均等にカット可能であるような独創的なブレード部を設計することにある。
【００２５】
本発明の更なる目的は、次に示す明細書によって明らかにされるであろう。即ち、明細書の中の詳細な記述は本発明を十分に開示することを意図するものとするものであって、その記述に限定されるものではない。
【発明を実施するための最良の形態】
【００２６】
ヘアトリミング装置１０の分解組立て斜視図を示す図１を参照することとする。カッタヘッド部１２、カッターブレード部１４、カッタ本体部１６、及び、ハンドル１８がヘアトリミング装置１０の主要構成部品である。図に示すカッタヘッド部１２は、装置を通る毛幹の切断される末端を保持する内部閉鎖領域２２の頂部畝状部２１から分解された状態で開示されている透明な毛髪排出扉２０を備えている。末端の係止用小孔２４は、カッタヘッドの小孔２６に適合し、カッタ本体部１６に取付けられている係止ピン２８とカッタヘッドを位置合わせし、その結果、カッタヘッド部とカッタ本体部が組み立てられたときに、毛髪排出扉２０が外れないようにして、装置の作動中に内部閉鎖領域２２へのアクセスを防止する。
【００２７】
カッタヘッド部１２の雌端部３２の内周縁に沿って配置された複数のリッジ３０は、カッタ本体部１６の雄かみ合い端部３６の内側縁に沿って配置された連続凹部３４を使用して、カッタ本体部１６に対してカッタヘッド部１２を確実に係合させる手段を提供し、それにより、正常作動状態において２つの部分を一体として保持する。軸方向にわずかな圧力をかけることにより、カッタヘッド１２はカッタ本体１６から取り外されることになる。このようにして、一旦、取り外されると、毛髪排出扉２０はカッタヘッド部１２から取り出すことが可能であり、毛幹２３から切り取られた末端用リザーバとして用いられる内部封じ込め空間２２を清掃することができる。
【００２８】
カッタヘッド部１２の表面３７は２つの側面畝状部３８Ａと３８Ｂを備え、これらの畝状部は、脱着自在な針状突起ユニット４４Ａ及び４４Ｂの係止タブ４２と係合するための小孔４０を備える。脱着自在な針状突起ユニット４４Ａ及び４４Ｂは、プラスチック製であっても差し支えない種々異なる柔軟度の構造体と共に個数と長さの異なる針状突起４６を備えたセットとして使用可能である。勿論、取外し可能である必要がなければ、針状突起４６は２つの側面畝状部３８Ａ及び３８Ｂ内に形成しても差し支えないが、現行の最良態様においては取外し可能な針状突起ユニット４４Ａ及び４４Ｂが用いられている。
【００２９】
オペレータの安全性のために、保持用空間５０の延長凹部５１内には格子状構造体４７が組み込まれている。この格子状構造体４７はその中に格子状開口部５３を備えているので、毛幹２３の末端がカッターブレード７２によって切断されるようにそれを通過して連通するには充分ではあるが、指を挿入するには不十分な空間が設けられることになる。これは、ユーザの指がカッターブレードによって傷付けられる可能性を排除する安全手段を提供する。格子状構造体４７に設けられた格子状開口部５３は、これらの個別開口部を通過させることによって、毛髪２５の末端がカッターブレード７２と角度を作って接触することを防止するために毛幹２３の末端２５とカッターブレード７２の位置合わせ手段を提供し、これによって、開口部を通る毛幹２３の末端とカッターブレード７２を位置合わせする。
【００３０】
保持部作動レバー１０８がオペレータの指によってカッタ本体部１６に圧し当てられるとき、蝶番の付いた毛髪保持部１０５が、カッタヘッド部１２内の側面畝状部間に形成される保持部空間５０内にピボット機構１０６によって回って入り込むか、又は、レバー１０８を押すことによって毛髪保持部１０５が作動するように、オペレータによって圧されると同様の効果を持たせたバネ付きであっても差し支えないが、現行の最良態様は、ユーザが毛髪保持部１０５を保持部空間５０内に圧し込むような構造を備えている。毛髪保持部１０５は、カッタヘッド部１２の畝状部３８Ａ及び３８Ｂと作動可能にかみ合う２個の適合サイド１１０Ａ及び１１０Ｂから成る。適合サイドｌ１０Ａ及び１１０Ｂの外側縁１１２は蛇行毛髪チャネル５８を通過する毛幹２３を案内する複数の針状突起１１４を備える。現行の最良態様において、毛髪保持部１０５が保持部空間５０内に引き込まれると、凹部５１に隣接する毛髪保持部１０５の表面は、各リッジ５1の間に間隙を持つ複数のリッジ５1を備え、これらのリッジ５1は格子開口部５３と直線配置され、かつ装置の使用中に毛髪が装置内を横断するように複数の蛇行通路を形成する。また、リッジ５１と格子との係合は、装置を通過する実質的な直線経路内に毛幹２３を維持するために役立ち、それにより、毛幹２３の端末部２５とカッターブレードとが角度を作って接触する可能性が回避される。
【００３１】
毛髪保持部１０５の対向側面１０７は、面板６０の押圧側面５６が協働係合するような角度を生じ、蛇行チャネル５８内を移動する毛幹２３を圧縮し、それによって毛幹２３に張力をかける。従って、毛髪保持部１０５を保持部空間５０内に圧し込むことにより、毛髪保持部１０５と保持部空間５０の協働的係合によって形成される蛇行する髪房保持部５８を通って引っ張られている毛幹２３に張力が与えられる。脱着自在な針状突起ユニット４４Ａ及び４４Ｂの針状突起４６は毛髪保持部１０５の平坦面１１８上に所在し、協働係合している蝶番付き保持部１０５の平坦平面１１８とかみ合い、針状突起４６と毛髪保持部１０５の表面上の歯１２４の間に規定された通路を形成すること、及び、張力のかかっている毛幹２３の移動を支援し、それによって、装置の使用時には装置を通過して移動している状態のままで、蛇行チャネル５８内を移動する毛幹２３の直線通路内の走行を維持する。この直線通路は、蛇行する髪房保持部５８を経て移動中に偶発的に毛幹２３の末端が曲がり、それによって、カッターブレード７２によって過剰に多くの末端が切断される原因となり得るあらゆる可能性の発生を軽減するものである。
【００３２】
引張られた毛幹２３が毛髪中央構造体１２０を越えて移動すると、毛幹の末端にかかっている張力が瞬間的に一旦軽減され、毛幹の末端は毛髪保持部１０５と角度をもった押圧側面５６との間の接触から解放され、毛髪保持部１０５の毛髪中央構造体１２０は、これらの毛幹２３の末端を上方に、かつ延長凹部５１を経て弾き、柔軟な剪断縁８８とカッターブレード縁９０との間で切断する。中央構造体１２０は、滑らかな曲面１２２と所定の半径を持ち、現行最良実施形態において、複数の歯１２４は蛇行毛髪チャネル５８を通過する画定通路における毛幹２３の直線的な流れを助け、隣接する格子開口５３を通過して毛幹２３の末端を通過させ、これに隣接する場所において、末端は所望の長さに切断される。歯１２４が格子開口部５３の間の金属部分と直線配置されるように格子開口部５３および歯１２４の位置を確定することは、更に、装置１０を横切る毛幹２３のために規定した通路をチャネルとして形成することを意味する。
【００３３】
ありつぎは、延長凹部５１を通って切断長さ調節機構５２の形をしたカッターブレード７２に連通する毛幹の末端から除去される毛髪の切断長さを調節する手段の組込みを容易にするために、保持部空間５０のどちらかの側に組込まれている。この実施形態において、切断長さ調整機構は、保持部空間５０内におけるありつぎ４８全体に亙って調整機構を摺動可能にするために角度を設けた押圧側面５６に２つのありつぎ凹部５４が設けられていることを特徴とする。押圧側面５６に異なる角度が形成されることは、蛇行毛髪チャネル５８を通って引き出される毛幹２３に与えられる圧力を変えることになる。その理由は、毛幹２３にかかる張力は、協働してかみ合った場合に毛髪保持部１０５と接触する押圧側面５６の表面積に正比例することによる。従って、押圧側面５６の角度を変えると、接触面積を変化させ、毛幹２３にかかる張力を調節する。毛幹２３にかかる張力が増加し、かつ接触表面積が大きくなれば、より短い末端がカッターブレード７２に接触することとなり、逆に、張力が失われると毛幹２３の末端が早期に接触から解放され、延長凹部５２を通って跳ね上がるので、接触表面が減少すれば、更に延長髪房がカッターブレード７２に接触することになる。面板６０は、２つの、角度を有する押圧側面５６を保持し、保持部空間５０の端部を囲む。この種の複数の面板６０は装置と共に使用するために供給または入手可能であり、各面板は種々異なる接触表面積、従って種々異なる張力を供給するため、及び、蛇行毛髪チャネル５８を通って引っ張られている毛幹２３上の点を解放し、それによって、引き出される毛幹２３の末端から調髪された毛髪の量を調節するために種々異なる角度の側面５６を備える。
【００３４】
カッター部１４は、カッタヘッド部１２の内部閉鎖領域２２内で摺動する。場合によっては、カッターブレード部は、内部閉鎖領域２２内の所定の場所に恒久的に配置されることもある。切断フレーム７０は、フレーム７０外部に軸方向に取付けられた内歯駆動歯車７６を備えた２つのブッシングの間にカッターブレード７２を保持する。２つの剪断プレート７８Ａ及び７８Ｂは、柔軟リング８２を介して移動する取付けネジ８０によってフレーム７０に取付けられている。剪断プレート保持部縁８４及び剪断プレート保持部タブ８６は剪断プレート８４を精確な位置に保持する。柔軟剪断プレート縁８８及びカッターブレード縁９０は、毛幹２３を末端で効果的に切断するために要求される剪断動作を実施する。剪断プレート７８Ａと剪断プレート７８Ｂを対向位置に配置し、独特構成のカッターブレード７２を使用することにより、駆動モータがどちらの向きに回転しても切断動作は機能することになる。剪断プレート７８Ａと７８Ｂを使用することにより、延長凹部５１を介して接触する毛髪の末端から除去される毛髪の切断長さを調節するための追加手段が提供される。剪断プレート７８Ａと７８Ｂの厚さを変えると、カッターブレード７２をカッターブレード７２に接触している毛髪の末端に対して近付けるか又は遠ざけるように移動させることになり、ひいては、この切断長さを調節するために手段を提供することになる。従って、本装置には、毛髪の末端がそれを介してカッターブレード７２に接触する延長凹部５１に近付けるか又は遠ざけるためにカッターブレード７２を移動させるように構成された剪断プレートをそれぞれ備えた複数の異なって構成されたカッターブレード部１４を装備することが可能であろう。
【００３５】
カッタ本体部１６は、内歯駆動歯車７６を介してカッターブレード７２に対して協働してかみ合い、かつ駆動する従来型駆動モータ及びギヤシステムを収容する。カッターブレード７２の回転方向を変えるための手段は、駆動モータに供給するＤＣ電流の方向を逆にし、親指で作動できるようにユニットの最上面に都合よく配置される回転方向スイッチ９４によって提供される。勿論、当該技術分野における当業者はモータの方向を逆にする他の仕方を承知しているはずであり、それらは予想されることである。必ずしも絶対的とは限らないが、モータの回転方向を変えると、現行最良態様における本装置の機能を強化することになる。即ち、本装置１０を引く方向に対して正しい方向にカッターブレード７２をスピンさせることにより本装置がユーザのどちらの手を用いても使用可能になる。これが必要である理由を次に述べる。即ち、左手で引っ張り、右手で装置を使用して作業しているユーザは、作業の間全体に亙って、装置１０を弾くようにしなければならず、しかも、手挟みによく似た回転式はさみをカッターブレード７２として使用している場合には、装置１０を引く方向に対して一方向にのみ切断する場合にカッターブレードは最も良く機能することに因る。
【００３６】
延長凹部を経て接触する毛幹２３の末端から除去される毛髪の切断長さを調節する別の手段は本装置の一実施形態を用いて提供可能であり、この場合、カッタヘッド部１２及びカッターブレード部１４はカッタ本体部１６に取り付け可能な単一ユニットカッタヘッドとして提供される。この実施形態において、それぞれが延長凹部５１に対してカッターブレードを近付けるか又は遠ざけるように構成された複数の単一ユニットカッタヘッドが提供されるものとし、これによって、延長凹部５１を介して接触する毛幹２３の末端の所定量を切断するものとする。種々異なって構成された複数の単一ユニットカッタヘッドをキット形式で提供することにより、ユーザは単に適切な単一ユニットカッタヘッドを本体部１６に取付けることだけが必要であり、種々異なって構成された単一ユニットカッタヘッドに変えることによって、切断される毛幹２３の末端の長さを変えることが可能である。
【００３７】
既に述べたように、ハンドル接合空間９６はカッタ本体部１６における電動機と連結する電気接続部９８を収容する。電力はハンドル１８内のバッテリ１００から、又は、従来型ＡＣ電力へ接続された変圧器から供給される。本装置の好ましい実施形態において、バッテリ１００はハンドル１８内に収容された使い捨てバッテリであるか、又は、充電スタンドと係合する従来の仕方において再充電可能な密封された再充電可能バッテリであるものとする。ハンドル１８は、わずかな軸方向圧力によって外れないようにカッタ本体部１６の空間９６内に施錠された付属端部を備える。
【００３８】
図に示す本装置はカッタ本体部分１６と協働係合可能なハンドル１８を備えることを特徴とすると同時に、前述のハンドル及びカッタ本体部分は双方共に単位構造の単一ユニットであり得るものとし、脱着自在なカッタヘッド１２のように本装置の機能的利点も発揮し、及び／又は、取外し可能なカッターブレード部１４は蛇行毛髪チャネル５８を横断しながら引っ張られている毛幹２３の末端から切断される毛髪の量を容易に変化可能である。
【００３９】
図５は、全て１つの単一カッタユニット１２６内に取付けられているカッタヘッド部１２とカッターブレード部１４及びバッテリ１００と協働して係合可能なモータを備えたカッタユニット１２６の付属装置を介してカッターブレード部１４の取外し、及び、交換を可能にする開示されている本装置の別の実施形態を示す。スイッチ９４を備えた電気接点はカッタユニット１２６及びフォーク１３２において協働して係合可能な電気接点１３８によって提供されるものとする。前述接点１３８は、カッタユニット１２６内のバッテリ用充電器への導通、又は、ハンドル１３０内バッテリ１００からの導通を提供するために同様に使用可能であるものとする。この実施形態は、カッタユニット１２６を取外し、場合によっては、はさみの使用が可能であるという追加的利点が得られ、かつ毛幹２３の末端から切断された毛髪の長さを変えるために脱着自在なカッターブレード部１４の利点、及び、カッターブレード７２の距離調節能力を与えるものとする。この実施形態は、本体１２８が一端部にハンドル１３０、及び、フォーク１３２の間において切断凹部１３４を規定する１対のフォーク１３２を備えた単体であることを特徴とする。使用に際して、カッタユニット１２６は、毛髪保持部１０５と係合するフォークの表側に対向するフォーク１３２の裏側１３６と動作可能に係合するものとする。従って、毛幹２３は、フォーク１３２の表側上の同じ蛇行通路に従って移動し、取付けられたカッタユニット１２６によって切断されるように切断凹部１３４内において弾かれ、又は、場合によっては、カッタユニット１２６から離れて、切断凹部１３４を通って立ち上がる毛幹２３の末端を切断するために鋏が使用可能であるものとする。
【００４０】
本装置１１の別の好ましい実施形態を図６および７に示す。この実施形態は、保持部空間５０内において協働して係合する蝶番の付いた保持部１０５を用いて毛幹２３用蛇行通路５８を形成するという点で前述の実施形態と同じ仕方において機能する。前述の通路を通って引き出された毛幹２３の末端２５は瞬間的に弾かれ、そこで、前述の仕方において切断されることになる。
【００４１】
本装置１１のこの実施形態は、正面１９及び後面１７を持つハンドル１８を備えることを特徴とする。第１側面畝状部３８ａ及び第２側面畝状部３８ｂはハンドル１８に取付けられている。それにより、保持部空間５０は、ハンドル１８と連結する位置において終結する第１と第２側面畝状部３８ａと３８ｂの間で形成される。延長凹部５１は保持部空間５０の基底部分に位置し、空間を通過し、第１と第２側面畝状部３８ａと３８ｂの後面３９の間で連通する。
【００４２】
カッターブレード部１４は、全て１つのカッタユニット部１５に取付けられているカッタ本体部１６に取付けられたカッタヘッド部１２に取付けられる。これは、確実に位置決めするために配置され、かつカッタユニット部１５の正面の取付け開口部１１０と協働係合する取付けピン１０８を用いて第１および第２側面畝状部３８ａ及び３８ｂの後面３９に位置するカッタユニット部１５を形成する。カッタユニット部１５におけるモータに電気を供給する手段は、同様にカッタユニット部１５の内側に取付けられた駆動モータと接続する取付け開口部１１０において協働電気接点と係合する電気接点である取付けピン１０８によって提供される。
【００４３】
この二次実施形態１１はカッタユニット部１５全体、ひいては、カッターブレード部１４１の迅速な一動作で容易な取付け及び取外しを可能にする。従って、装置１１は、取付けピン１０８を使用して、複数の種々異なって構成されたカッタユニット部１５を装備することが可能である。種々異なって規定された毛幹２３の末端からの長さの毛髪を切断するように構成されたそれぞれのカッタユニット部１５を用いて、ユーザは、毛幹２３の末端２５から特定の長さの毛髪を切断するように構成された種々異なるユニット部１５を単に変化させることによって、除去される毛髪の量を容易に調節することが可能である。取付けピン１０８を介して伝達される電力は、ハンドル１８内に収納されたバッテリから、又は、取付けピン１０８に伝達されるコードからＡＣ電を前述の仕方において供給可能である。
【００４４】
また、本装置１１の代替実施形態は、延長凹部５１を介して末端２５を弾かせる蛇行毛髪チャネル５８を用いて機能追加的機能およびユーティリティを提供する。第１に、カッタユニット部１５の取外したとき、特定の末端２５が延長凹部５１を通って立ち上がり、これらが目視可能な場合に、この種末端を切断するために刈り鋏（図示せず）が使用できるものとする。第２に、毛髪乾燥用構成要素１１２を、取付け可能な部品内に供給することも可能である。毛髪乾燥用構成要素１１２には熱源およびファンで構成される従来型の吹き付け乾燥用構成要素を使用するものとし、次に、装置１１は、毛幹２３を乾かせ、真っすぐにするために、ユーザは自分の毛髪にブラシをかけることができるものとする。電力は、カッタユニット部１５の場合と同じ仕方において取付けピン１０８と協働して係合する前述の取付け開口部１１０を経てファンモータに印加されるものとする。従って、蛇行毛髪チャネル５８および延長凹部５１を通る末端２５の立ち上がり所定量を使用し、キットから取り出された種々の取付け可能な構成要素を、末端２５から毛髪を多少除去するため、毛髪を乾かすため、又は、手作業による大鋏の使用を可能にするために取付けることができる。
【００４５】
本発明の基本的特性および特徴の全てについて本明細書に記述されているが、特定の実施形態を参照して、変形の経緯、種々の変更、及び、代用については前述の開示において説明済みであり、場合によっては、既に述べた本発明の範囲から逸脱することなしに、しかも他の特徴の使用に対応して使用することなしに本発明の幾らかの特徴が用いられることが明白である。この種の代用例、変形例、及び、変更例は、本発明の趣旨または範囲から逸脱することなしに、当該技術分野における当業者によって創作されることが理解されるはずである。従って、この種の変形例、及び、変化例は、以下に示す特許請求の範囲によって定義されているように本発明の範囲内に含まれるものとする。
【図面の簡単な説明】
【００４６】
【図１】はカッタ本体部から分解したカッタヘッド部、カッターブレード部、及び、ハンドルを伴ったヘアトリミング装置の斜視図である。保持部作動レバー及び毛髪保持部は緩めて開いた位置にある。透明な毛髪取り除きドア及び脱着自在な針状突起ユニットの１つは、カッタヘッド部から分解された状態を示す。
【図２】は切断長さ調整機構の斜視図である。
【図３】はカッターブレード部の斜視図であり、ゴム製の柔軟リング及び取付けネジと共に、分解された２つの剪断板を示す。
【図４】は断面として図示されていない毛髪保持部を伴ったカッタヘッド部及びカッターブレード部の断面図である。
【図５】は種々異なって構成されたシヤー部の置換え可能又は鋏の使用が可能な取外し可能なシヤー部を伴った、本装置の別のモジュール式実施形態を示す。
【図６】は取付け可能なブレード部、毛髪乾燥用構成要素、又は、この種の構成要素が除去された場合に、必要に応じて末端を鋏による手作業によってトリミング可能であるように、凹部を経て接触する毛髪にアクセスするための後部対面マウントを供給する別の好ましい実施形態を示す。
【国際公開パンフレット】
2004526534.tif 000003
2004526534.tif 000004
2004526534.tif 000005
2004526534.tif 000006
2004526534.tif 000007
2004526534.tif 000008
2004526534.tif 000009
2004526534.tif 000010
2004526534.tif 000011
2004526534.tif 000012
2004526534.tif 000013
2004526534.tif 000014
2004526534.tif 000015
2004526534.tif 000016
2004526534.tif 000017
2004526534.tif 000018
2004526534.tif 000019
2004526534.tif 000020
2004526534.tif 000021
2004526534.tif 000022
2004526534.tif 000023
2004526534.tif 000024
2004526534.tif 000025
2004526534.tif 000026
2004526534.tif 000027
2004526534.tif 000028
2004526534.tif 000029
2004526534.tif 000030
2004526534.tif 000031
2004526534.tif 000032
【手続補正書】
【提出日】平成15年5月29日(2003.5.29)
【手続補正１】
【補正対象書類名】特許請求の範囲
【補正対象項目名】請求項１
【補正方法】変更
【補正の内容】
【請求項１】
毛髪の末端を引き入れて調髪するヘアトリミング装置であって、
端部に取付けられたハンドルとヘッド接合端部とを備えた本体部と；
電力供給源と接続する前記本体部に取付けられたモータと；
前記本体部の前記ヘッド接合端部における着脱自在なカッタヘッド部と；
前記カッタヘッド部が面及び前記面で形成される保持部空間を有し、
前記カッタヘッド部の内部空間と連通している前記保持部空間内に位置する凹部と；
第１の端部に回転可能に取付けられ、前記ヘッド接合端部と隣接し、かつ前記保持部空間と協働して係合可能に寸法取りされた延長毛髪保持部と；
前記延長毛髪保持部は前記保持部空間において協働して係合可能な作動位置、および前記保持部空間から解放される持ち上げ位置を備え、
前記延長毛髪保持部を前記持ち上げ位置から前記作動位置まで動かすために前記第１の端部において前記延長毛髪保持部と動作可能に係合する作動レバーと；
前記内部空間内に作動可能に取付けられたカッターブレード部とを備え、前記カッターブレード部が切断フレームに取付けられたカッターブレードを備え、前記カッターブレード部は前記内部空間内に取付けられると前記モータと動作可能に係合し、
前記延長毛髪保持部は、前記作動位置において、髪房を案内するための蛇行通路を形成し、
前記凹部が、前記蛇行通路を通って引かれた前記髪房の前記末端が前記凹部を通って前記内部空間と瞬間的に連通する手段を設け、
前記凹部を通って連通する前記髪房の前記末端部以外の部分を切り取るために前記カッターブレードが前記内部空間内に配置される
ことを特徴とする装置。
【手続補正２】
【補正対象書類名】特許請求の範囲
【補正対象項目名】請求項７
【補正方法】変更
【補正の内容】
【請求項７】
末端を引き入れて調髪するヘアトリミング装置であって、
正面および後面を有するハンドルと；
前記ハンドルの上側端部に取付けられた第１の側面畝状部と；前記第１の側面畝状部は第１の正面および第１の後面を有し、
前記第１の側面畝状部に平行であって、前記ハンドルの前記上側端部に取付けられている第２の側面畝状部と；前記第２の側面畝状部が第２の正面および第２の後面を有し、
前記第１の側面畝状部と前記第２の側面畝状部との間に形成された保持部空間と；
前記保持部空間内の延長凹部と；
前記凹部が前記凹部のベースから前記第１の後面と前記第２の後面との間の切断エリアまで連通し、
前記ハンドルの前記上側端部に隣接する第１の端部において取付けられた延長毛髪保持部と；前記延長毛髪保持部は前記保持部空間と協働して係合可能に寸法取りされ、
前記延長毛髪保持部は前記保持部空間内において協働係合された作動位置および前記保持部空間から解放される持ち上げ位置を有し、
前記持ち上げ位置から前記作動位置へ前記延長毛髪保持部を動かすために前記延長毛髪保持部と動作可能に係合する作動レバーと；
前記作動位置において前記延長毛髪保持部が前記延長凹部を通り、かつ前記保持部のまわりにおいて髪房を案内するための蛇行通路を形成し、
前記凹部が前記蛇行通路を通して引き出された前記髪房の前記末端を前記凹部を通して前記内部空間と瞬間的に連通する手段を設け、
前記カッター部の内部空間内に動作可能に取付けられたカッターブレードを備えたカッター部と；
前記内部空間内の前記カッターブレードとを連通させる前記カッター部の正面にある切断凹部と；
前記延長凹部と定位置に位置決めされた前記切断凹部を備えた前記第１の後面および前記第２の後面に対して前記カッター部の前記正面を前記定位置において係合させる手段を備え、それにより前記カッター部を前記ハンドルに着脱可能な部材に配置し、
前記カッター部が前記ハンドルに対して前記着脱可能な部材内にある場合、前記カッターブレードと作動可能に係合されたモータと；
前記ハンドルから前記モータへ電力を伝達する手段とを備え、これによって、前記蛇行通路を通して引き出された髪房を前記延長凹部を経て、前記切断凹部内へ瞬間的に連通させ、前記カッターブレードが前記髪房の末端から所定の部分を除去する
ことを特徴とする装置。
【手続補正３】
【補正対象書類名】特許請求の範囲
【補正対象項目名】請求項８
【補正方法】変更
【補正の内容】
【請求項８】
前記ヘアトリミング装置は、さらに、
複数のカッター部を有する着脱自在なカッター部のキットから選択可能な前記カッター部を備え、
前記キットに含まれる前記複数のカッター部の各々が、前記後面に取外し可能に取付けられ、且つ
前記複数のカッター部の各々は、前記髪房の前記末端の異なる長さの所定部分を切断するように、所定位置に取付けられている前記カッターブレードを備える請求項７記載のヘアトリミング装置。
【手続補正４】
【補正対象書類名】特許請求の範囲
【補正対象項目名】請求項１１
【補正方法】変更
【補正の内容】
【請求項１１】
前記ヘアトリミング装置は、さらに、
スイッチを備え、前記モータを逆回転させるためにユーザによって前記スイッチは作動され、前記髪房の前記末端以外の部分を切断するように前記ブレードを正しい方向に回転させ、片方の手を用いて毛髪の中を通って前記ヘアトリミング装置を通過させることを可能にする請求項１記載のヘアトリミング装置。
【手続補正５】
【補正対象書類名】特許請求の範囲
【補正対象項目名】請求項１３
【補正方法】変更
【補正の内容】
【請求項１３】
前記末端を前記カッターブレードと毛髪位置合わせする前記手段が、
前記凹部内に設置された格子を備え、前記格子を介して連通する複数の格子開口部を備え、且つ、
前記末端が前記格子開口部を通って前記カッターブレードと連通する請求項１２記載のヘアトリミング装置。
【手続補正６】
【補正対象書類名】特許請求の範囲
【補正対象項目名】請求項１５
【補正方法】変更
【補正の内容】
【請求項１５】
前記ヘアトリミング装置は、さらに、
スイッチを備え、前記スイッチは前記モータを逆転させるために作動可能であり、前記髪房の前記末端以外の部分を切断するように前記ブレードを正しい方向に回転させ、片方の手を用いて毛髪の中を通って前記ヘアトリミング装置を通過させることを可能にする請求項１２記載のヘアトリミング装置。
【手続補正７】
【補正対象書類名】特許請求の範囲
【補正対象項目名】請求項１７
【補正方法】変更
【補正の内容】
【請求項１７】
前記末端を前記カッターブレードと毛髪位置合わせする前記手段が、
前記延長凹部内に設置された格子を備え、前記格子を介して連通する複数の格子開口部を備え、
前記末端が前記格子開口部を通って前記カッターブレードと連通する請求項１６記載のヘアトリミング装置。
【手続補正８】
【補正対象書類名】特許請求の範囲
【補正対象項目名】請求項１９
【補正方法】変更
【補正の内容】
【請求項１９】
前記ヘアトリミング装置は、さらに、
スイッチを備え、前記スイッチは前記モータを逆転させるために作動可能であり、前記髪房の前記末端以外の部分を切断するように前記ブレードを正しい方向に回転させ、片方の手を用いて毛髪の中を通って前記ヘアトリミング装置を通過させることを可能にする請求項７記載のヘアトリミング装置。
【手続補正９】
【補正対象書類名】明細書
【補正対象項目名】０００７
【補正方法】変更
【補正の内容】
【０００７】
米国特許第３，１１５，１４３号：クイーン（Ｑｕｅｅｎ）は、毛髪を調髪する際の案内手段について教示し、それによって、ユーザは、首からこめかみにかけて毛髪の切断部を先細、或いは、フェザーにすることができる。ただし、この装置は、一方の手によってガイド部材を保持し、もう一方の手に電気クリッパを保持することを必要とするので、個人が自身の毛髪を切断する際にはこの装置を使用できない。本装置を使用して毛髪を切断する際には、スタイリストまたは本人以外の人による注意を怠る事なく、これらの人がスキルを発揮することが要求される。特許は、枝毛末端の除去を意図するものでなく、ヘアカットの先細化および羽状化を対象としているので、クイーンの特許を用いておいてユーザ自身の後頭部の毛髪を切断することは実際には不可能であるだろう。更に、隣接する延長髪房にこの装置を接触させることなしに、人の髪房の末端から実質的に等しい部分だけを切除することは事実上不可能だと考えられる。


【手続補正１０】
【補正対象書類名】明細書
【補正対象項目名】００３０
【補正方法】変更
【補正の内容】
【００３０】
保持部作動レバー１０９がオペレータの指によってカッタ本体部１６に圧し当てられるとき、蝶番の付いた毛髪保持部１０５が、カッタヘッド部１２内の側面畝状部間に形成される保持部空間５０内にピボット機構１０６によって回って入り込むか、又は、レバー１０９を押すことによって毛髪保持部１０５が作動するように、オペレータによって圧されると同様の効果を持たせたバネ付きであっても差し支えないが、現行の最良態様は、ユーザが毛髪保持部１０５を保持部空間５０内に圧し込むような構造を備えている。毛髪保持部１０５は、カッタヘッド部１２の畝状部３８Ａ及び３８Ｂと作動可能にかみ合う２個の適合サイド１１０Ａ及び１１０Ｂから成る。適合サイドｌ１０Ａ及び１１０Ｂの外側縁１１２は蛇行毛髪チャネル５８を通過する毛幹２３を案内する複数の針状突起１１４を備える。現行の最良態様において、毛髪保持部１０５が保持部空間５０内に引き込まれると、凹部５１に隣接する毛髪保持部１０５の表面は、各リッジ５1の間に間隙を持つ複数のリッジ５５を備え、これらのリッジ５1は格子開口部５３と直線配置され、かつ装置の使用中に毛髪が装置内を横断するように複数の蛇行通路を形成する。また、リッジ５１と格子との係合は、装置を通過する実質的な直線経路内に毛幹２３を維持するために役立ち、それにより、毛幹２３の端末部２５とカッターブレードとが角度を作って接触する可能性が回避される。


【手続補正１１】
【補正対象書類名】明細書
【補正対象項目名】００３１
【補正方法】変更
【補正の内容】
【００３１】
毛髪保持部１０５の対向側面１０７は、面板６０の押圧側面５６が協働係合するような角度を生じ、蛇行チャネル５８内を移動する毛幹２３を圧縮し、それによって毛幹２３に張力をかける。従って、毛髪保持部１０５を保持部空間５０内に圧し込むことにより、毛髪保持部１０５と保持部空間５０の協働的係合によって形成される蛇行する髪房保持部５８を通って引っ張られている毛幹２３に張力が与えられる。脱着自在な針状突起ユニット４４Ａ及び４４Ｂの針状突起４６は針状突起ユニット４４Ａ及び４４Ｂの平坦面１１８上に所在し、協働係合している蝶番付き保持部１０５の平坦平面１１８とかみ合い、針状突起４６と毛髪保持部１０５の表面上の歯１２４の間に規定された通路を形成すること、及び、張力のかかっている毛幹２３の移動を支援し、それによって、装置の使用時には装置を通過して移動している状態のままで、蛇行チャネル５８内を移動する毛幹２３の直線通路内の走行を維持する。この直線通路は、蛇行する髪房保持部５８を経て移動中に偶発的に毛幹２３の末端が曲がり、それによって、カッターブレード７２によって過剰に多くの末端が切断される原因となり得るあらゆる可能性の発生を軽減するものである。


【手続補正１２】
【補正対象書類名】明細書
【補正対象項目名】００３９
【補正方法】変更
【補正の内容】
【００３９】
図５は、全て１つの単一カッタユニット１２６内に取付けられているカッタヘッド部１２とカッターブレード部１４及びバッテリ１００と協働して係合可能なモータを備えたカッタユニット１２６の付属装置を介してカッターブレード部１４の取外し、及び、交換を可能にする開示されている本装置の別の実施形態を示す。スイッチ９４を備えた電気接点はフォーク１３２において協働して係合可能な電気接点１３８によって提供されるものとする。前述接点１３８は、カッタユニット１２６内のバッテリ用充電器への導通、又は、ハンドル１３０内バッテリ１００からの導通を提供するために同様に使用可能であるものとする。この実施形態は、カッタユニット１２６を取外し、場合によっては、はさみの使用が可能であるという追加的利点が得られ、かつ毛幹２３の末端から切断された毛髪の長さを変えるために脱着自在なカッターブレード部１４の利点、及び、カッターブレード７２の距離調節能力を与えるものとする。この実施形態は、本体１２８が一端部にハンドル１３０、及び、フォーク１３２の間において切断凹部１３４を規定する１対のフォーク１３２を備えた単体であることを特徴とする。使用に際して、カッタユニット１２６は、毛髪保持部１０５と係合するフォークの表側に対向するフォーク１３２の裏側と動作可能に係合するものとする。従って、毛幹２３は、フォーク１３２の表側上の同じ蛇行通路に従って移動し、取付けられたカッタユニット１２６によって切断されるように切断凹部１３４内において弾かれ、又は、場合によっては、カッタユニット１２６から離れて、切断凹部１３４を通って立ち上がる毛幹２３の末端を切断するために鋏が使用可能であるものとする。


【手続補正１３】
【補正対象書類名】図面
【補正対象項目名】図１
【補正方法】変更
【補正の内容】
【図１】
2004526534.tif 000033
【手続補正１４】
【補正対象書類名】図面
【補正対象項目名】図２
【補正方法】変更
【補正の内容】
【図２】
2004526534.tif 000034
【手続補正１５】
【補正対象書類名】図面
【補正対象項目名】図３
【補正方法】変更
【補正の内容】
【図３】
2004526534.tif 000035
【手続補正１６】
【補正対象書類名】図面
【補正対象項目名】図４
【補正方法】変更
【補正の内容】
【図４】
2004526534.tif 000036
【手続補正１７】
【補正対象書類名】図面
【補正対象項目名】図５
【補正方法】変更
【補正の内容】
【図５】
2004526534.tif 000037
【手続補正１８】
【補正対象書類名】図面
【補正対象項目名】図６
【補正方法】変更
【補正の内容】
【図６】
2004526534.tif 000038
【国際調査報告】
2004526534.tif 000039